(57)【要約】【課題】窓のガラス板が破壊されて屋外側から手先や工具などが挿入された場合にも、クレセント錠の不正解錠行為を防止し施錠信頼性も向上させることもでき、施錠ロック操作が簡単にできるクレセント錠で、且つ、取り付け及び交換が容易にできるクレセント錠を提供する。【解決手段】クレセント本体とハンドルにそれぞれ嵌合する嵌合部を設けることにより、クレセント本体からハンドルを着脱可能にし、回転軸の嵌合部と回転軸と一体化する係合体以外の、回転軸の係止溝、係止板、軸体、引っ張りコイルバネ、台座で構成される回転規制機構をクレセント本体の収納空間に収納することにより、施錠状態でクレセント本体からハンドルが引き抜かれると引っ張りコイルバネの介在により係止板が回転軸の係止溝に嵌入され、回転軸の回転が規制される。すなわち、係合体の回転も規制され施錠ロック状態となり、施錠ロック状態を解除するには再度同一のハンドルをクレセント本体の嵌合部に差し込まなくては施錠ロック状態を解除できないよう構成する。【選択図】図１
2007107355.tif 000002
【特許請求の範囲】
【請求項１】
内障子の召し合わせ框の外側に装着される防犯クレセント錠を不正解錠されないように、ケーシング内に、台座及び回転軸、軸体、係止板、バネ、などのロック機能を内蔵したことを特徴とする防犯クレセント錠。
【請求項２】
窓の内障子の召し合わせ框の側面に装着されている請求項１記載の回転軸嵌合部より、取り付けるハンドルが機構本体と簡単に着脱する事ができることを特徴とする請求項１記載の防犯クレセント錠。
【請求項３】
防犯クレセント錠にハンドルを挿入し回転操作することにより施錠状態になり、施錠後にハンドルをクレセント錠より引き抜く事により、施錠状態をロックしロック状態を維持することができ、再度同一のハンドルを挿入し回転操作することにより施錠状態を開錠することができ、しかも、いかなる方法でも解錠できないことを特徴とする請求項１、請求項２記載の防犯クレセント錠。
【請求項４】
内障子の召し合わせ框に防犯クレセント錠及び外障子の召し合わせ框に受けを取り付け後に、係合体と受けの掛り具合を引寄せ引分け上下の方向に召し合わせ框に対して取り付け調整が出来ることを特徴とする請求項１，請求項２、及び請求項３記載の防犯クレセント錠。
【発明の詳細な説明】
【技術分野】
【０００１】本発明は施錠したクレセト錠が不正に解錠できないように工夫した窓用の防犯クレセント錠に関するものである。
【背景技術】
【０００２】（従来の技術）
従来、クレセント錠は、窓の施解錠と機密性を保持する機能として通常一般的である。また、一般的なクレセント錠は台座、係合体及びハンドルが一体化されて、内障子の召し合わせ框の側面に取り付けられており、さらに、外障子の召し合わせ框の室内側に受けが取り付けられており、クレセント錠のハンドルを回転操作することにより係合体と受けが係合して外側と内側の障子が開かないように施錠する、また、引分け、引寄せ機能により両側の召し合わせ框を引寄せる事で密着させ室内での機密性を保持する事ができ、施開錠操作に当っては、単にハンドルを回転操作するだけで済み、操作が非常に安易であるという利点から広く使用されている。【０００３】更に、内障子の召し合わせ框の側面に取り付けられているクレセント錠の側面や回転軸などにつまみ、或いはスライド板やボタンなどによる不正解錠防止のロック機構がクレセント錠と一体化されて設けられており、ロック機構を操作するには手動にて、つまみ部分を回転操作やスライド板をスライド操作、また、ボタンやロック切り替えスイッチなどを押圧するようにしてロック或いはロックを解除するロック機能付クレセント錠なども数多く提案されている。この種のクレセント錠では、係合体とハンドルが一体化しており、ハンドル部分を回転操作することにより、外障子の召し合わせ框の室内側の受けと内障子の召し合わせ框の側面に取り付けられている係合体が係合することによって施錠状態となり、この施錠状態の時にロック機構をロック操作することでクレセント錠のハンドル及び係合体の回転を規制させ施錠状況を維持させる機能を有している。【０００４】また、特許文献１の発明においては、ハンドル部分以外の台座、回転軸、係合体、バネなどの機構を機構本体に収めサッシの内障子の召し合わせ框に内蔵し、受けを外障子の召し合わせ框に内蔵して取り付けられており、内障子の召し合わせ框の側面挿入孔からハンドルが着脱自在のクレセント錠が報告されている。しかしながら、特許文献１においては、不正解錠防止機能を向上させるためのものであり、召し合わせ框に一般的に取り付けられているクレセント錠を特許文献１に記載のクレセント錠を障子の召し合わせ框に新たに装着するには、内側及び外側の召し合わせ框に切り欠きを複数開口しなければならず、取り付けにも手間がかかり、容易に取り付けることができない。
【特許文献１】特開２００１−８２０１９号公報
【発明の開示】
【発明が解決しようとする課題】
【０００５】しかしながら、前記した従来のクレセント錠は未だ解決すべき以下のような問題があった。一般的にガラス板を嵌め込んだ構造の窓では、外部の不正侵入者がこのガラス板の一部を破壊して手先が入る程度の開口を作り、この開口を通して手先やドライバーなどの工具を室内側に挿入し、内障子の召し合わせ框の側面に取り付けられているクレセント錠のハンドル部分を手先やドライバーなどの工具を挿入して力を加えることで、クレセント錠が不正に操作され不正開錠させ得る、という不都合がある。【０００６】また、前記した従来のクレセント錠は、ロック機能をロック状態にするには、クレセント錠を施錠状態に操作することによって自動でロック状態にする自動ロック機能付クレセント錠も見受けられるがロック状態を解除するには手動にて解除しなければならない、そして、通常一般的に見受けられるロック機能付クレセント錠では、ロック機能をロック、或いは、ロックを解除するには手動にてロック操作を行うため、クレセント錠及び、ロック機能を個別に操作しなければならないため、クレセント錠は施錠状態でもロック機能はロックされていない状況の虞が予想されるようになった。すなわち、ロック機能をロック、或いは、ロックを解除するには、クレセント錠及び、ロック機能を個別に操作しなければならず、操作性が悪くなる不都合がある。【０００７】しかしながら、前記したロック機能付クレセント錠を外部の不正侵入者が屋外側から窓のガラス板の一部を破壊して、この破壊された開口を通して工具や手指を挿入し回転操作や押圧するようにして、いとも簡単にロックを解除されてしまう。すなわち、この種のロック機能付クレセント錠でも施錠状態が解除され室内に侵入されてしまい施錠解除が防止できず、十分な施錠信頼性を得ることができなかったという防犯上の問題点があった。【０００８】そこで、本発明の防犯クレセント錠は上記状況に鑑みてなされたもので、上記したようにガラス板が破壊されて屋外側から手先や工具などが挿入された場合にも不正解錠行為を防止し施錠信頼性も向上させることもでき、且つ、取り付け及び交換が容易にできるクレセント錠を提供し、クレセント錠の不正解除防止機能の向上を図ることを目的とする。
【課題を解決するための手段】
【０００９】上記の課題を解決するための手段を、実施形態に対応する図面を参照して説明する。
この発明の請求項１記載の防犯クレセント錠１は、外障子の召し合わせ框５１の室内側に備え付けで取り付けられている受け５３を取り外すことなく使用することができ、上記記載した防犯クレセント錠は、内障子の召し合わせ框５０に簡単に取り付けられ、ロック機構を有する構造で、不正侵入者が屋外側から窓のガラス板の一部を破壊し、この破壊された開口を通して工具や手指を挿入し回転操作や押圧するようにして簡単にロックを解除されないようにロック施錠機構（図１参照）をクレセント錠のロック機構収納空間４７にコンパクトに収納したことを特徴としている。【００１０】請求項２記載のクレセント錠１は、クレセント錠１より突出された回転軸４と係合体３が一体化して構成されており、回転軸４に角軸状嵌合部１１を備える。さらに、ハンドル２には角軸状嵌合部１１に嵌め込む角穴嵌合部１０を備え、角軸状嵌合部１１と角穴嵌合部１０が嵌合することにより、ハンドル２とクレセント錠１が結合されて一体化となり、係合体３を回転させることができ、係合体３と受け５３が係合して施錠状態となる。また、このように角軸状嵌合部１１と角穴嵌合部１０を備えることでクレセント錠１からハンドル２を引き抜くことができ着脱が可能となる。したがって、屋外側から窓のガラス板の一部を破壊し、工具や手指を挿入しハンドル部分を不正に回転操作をして解錠することはできない。【００１１】請求項３記載のクレセント錠１は、前記した構成により、ハンドル部分２が着脱自在にできることにより、クレセント錠１からハンドル部分２が引き抜かれると、ロック機構収納空間４７に設けられている引張コイルバネ３４の介在により係止板２２が引張られ、係止板２２より突出した係止板凸部２３が回転軸凹部２４の係止溝４８に挟まれ嵌合する。よって、回転軸４及び、係合体３の回転が規制されてロック状態となり、施錠状態をロックし保持することができる。したがって、解除するには再度同一のハンドル２をクレセント錠１の角軸状嵌合部１１に差し込まなくてはロック状態を解除できない。すなわち、施錠ロック状態では、クレセント錠１からハンドル部分２を引き抜くことにより、回転軸４及び、係合体３の回転を規制することができる。【００１２】また、クレセント錠１に突出された角軸状嵌合部１１とハンドル２の角穴嵌合部１０が嵌合することにより、ハンドル２の角穴嵌合部１０に形成されている四角形凹部１２より突起する挿通突起８が回転軸正面中央の挿通孔７に挿入し、係止板２２と連結している軸体１５を挿通孔７内で押接することにより、係止溝４８から係止板２２が押し上げられ、係止溝４８から係止板２２が抜脱されることにより、回転軸４の回転規制を解除することができ、回転軸４が回転自在となり、ハンドル及び、係合体３を回転させることが可能となる。さらに、ハンドル２の回転操作により係合体３と受け５３が係脱されて施錠状態を解錠することができる。【００１３】すなわち、施錠ロック状態では、クレセント錠１からハンドル部分２を引き抜くことにより、回転軸４及び、係合体３の回転を規制し、また、ハンドル部分２をクレセント錠１に嵌合することにより回転軸４が回転自在となり、ハンドル及び、係合体３を回転させることができる。このように、ハンドル２の着脱によって回転軸４の回転を規制または、解除するロック機構Ａ（図１参照）を有していることを特徴とする。【００１４】請求項４に記載のクレセント錠１は、上記のように構成され、コンッパクトで、内障子の召し合わせ框５０に取り付けるだけでよいので、内障子の召し合わせ框５０に新たに挿通孔などを設ける必要がなく、従来の内障子の召し合わせ框５０に備え付けのクレセント錠（図示せず）の取り付け用の挿通孔（図示せず）に付け替えも容易にできるようにクレセント錠１の取り付け用長穴５３設け、内障子の召し合わせ框５０に設けられているネジ挿通孔（図示せず）に合うように、取り付けネジ４９を上下に調整することができ、簡単に付け替えられる。また、外障子の召し合わせ框５１の室内側に備え付けの受け５を取り外すことなく使用することができる。
【発明の効果】
【００１５】この発明の防犯クレセント錠は、ハンドル部分が着脱自在にできるように、回転軸側とハンドル部分に嵌合部を設け、ハンドル部分を回転操作することにより、施解錠ができ、施錠状態でハンドル部分を引き抜くことにより、係止板が引張コイルバネの介在により引っ張られ、回転軸の係止溝に挟まれ嵌合することで回転軸と係合体の回転が規制され施錠ロック状態となるロック機構を設けたことで不正な開錠はできない。仮に、外部の不正侵入者が屋外側から窓のガラス板の一部を破壊して、この破壊された開口を通して工具や手指を挿入し、不正に回転操作や押圧するようにしてもロック機能はケース内に内蔵されており、外装表面には露出していないので、ロックを解除することは不可能となり、ロックを解除するには同一のハンドルを用いて回転軸に嵌合させる以外にロックは解除できない。特に、クレセント錠にハンドル部分がないため、不正開錠による犯罪を確実に未然に防止する抑止効果は高く、施錠信頼性をより向上させることができる。【００１６】また、備え付けのクレセント錠に簡単に付け替えられて、ロック操作もハンドルを引き抜くことで、施錠ロックすることができるので操作性も向上させることができる。しかも、構成が簡素であるため、量産も可能となり、安価にて提供が可能となり、経済的な防犯クレセント錠である。
【発明を実施するための最良の形態】
【００１７】以下、この発明による、防犯クレセント錠の構造について、実施形態に対応する図面を参照して詳細に説明する。図７は本発明に係る防犯クレセント錠の取り付けた状態を示す斜視図である。クレセント錠１は内障子の召し合わせ框５０の側面に取り付ける。図１に示すように、クレセント錠１は、ケーシング３１と防犯クレセント錠の主要構成部分であるロック機構Ａを構成する係合体３、回転軸４、軸体１５、係止板２２、係止板取り付け台座３９で大略構成されている。【００１８】図１に示すように、ケーシング３１は、回転軸を挿入する回転軸挿入円形４５と内障子の召し合わせ框５０に取り付けるための、後述する取り付けネジ４９を挿入するクレセント錠取り付け用長穴５２と後述する円柱状係止ピン５４で形成されている。クレセント錠取り付け用長穴５２は、備え付けのクレセント錠（図示せず）が取り付けてあった挿通孔（図示せず）に取り付けネジ４９が合うように上下に調整することができ付け替えも容易にできるように略Ｌ状の空間を有する凹部底面に長穴が設けてある。さらに、ケーシング３１のハンドル操作側には係合体３と角軸状嵌合部１１が一体化されて突出するように設けられている、また、ケーシング３１の内側にはロック機能収納空間４７が設けられており、このロック機能収納空間４７には、ロック機能Ａが収納されている。【００１９】クレセント錠１の主要構成部分であるロック機構Ａは、図１に示すようにクレセント錠１のロック機能収納空間４７に回転軸４、軸体１５、係止板取り付け用台座３９、係止板２２から構成されるロック機構Ａが収められている。回転軸４は、中央部分に円柱状軸基５、ハンドル２と嵌合する角軸状嵌合部１１、受け５３と係合する係合体３、係止板２２を挟みこむ回転軸凹部２４とで一体化して形成されており、さらに、角軸状嵌合部１１の先端部分にはハンドル２を保持する為の永久磁石１３が設けられている。円柱状軸基５には、回転軸４を固定する為のＥリング係止溝２９が形成されている。また、回転軸４の軸線方向に後述するハンドル２の四角形開口凹部１２より突出する挿通突起８及び軸体１５の軸体円柱状突起１７が挿通可能となる挿通孔７が穿設されている。【００２０】図２，図５に示すように、回転軸４は、回転軸凹部２４からケーシング３１の回転軸挿入円形４５のハンドル操作側から挿入し、角軸状嵌合部１１と係合体３がハンドル２と嵌合できる状態で、ケーシング３１のハンドル操作側に突出している。さらに、ハンドル２にも角軸状嵌合部１１に嵌合する角穴嵌合部１０を備え、角軸状嵌合部１１と角穴嵌合部１０が嵌合することにより、ハンドル２とクレセント錠１が結合されて一体化となり、ハンドル２を操作することで係合体３を回転させることができる。【００２１】尚、前記角穴嵌合部１０及び、角軸状嵌合部１１の嵌合する形状は四角形で形成されていたが、回転軸４の嵌合部及び、ハンドル２の嵌合部１１が嵌合して一体化することができ、回転操作が滑らかにできる形状であれば、他のどのような形状でも良い。【００２２】図２に示すように、回転軸４は回転軸凹部２４がクレセント錠１のハンドル操作側からケーシング３１の回転軸挿入円形開口４５へ挿入し、さらに、ロック機構収納空間４７の係止板取り付け用台座３９の回転軸挿入円形開口４６へ挿通され、係止板取り付け用台座３９を貫通し係止板２２側に突出している。係合体３とケーシング３１との間には、回転を滑らかにするためにリング２７を介在させてあり、回転軸４が係止板取り付け台座３９に突出した部分には移動規制部材を挟みこむＥリング係止溝２９が形成されている。Ｅリング２８をＥリング係止溝２９に挟み込み、ケーシング３１と係止板取り付け用台座３９と回転軸４を固定し、回転軸４の抜脱が規制されて回転自在となっている。【００２３】前記回転軸４は、例えば、適宜金属材や、適宜樹脂材や、適宜複合材や、その他の適宜材料によって一体的に構成され、或いは、別体で形成し，これを組合せて構成されたものでも良い。【００２４】図１に示すように、係止板取り付け用台座３９には、板バネ固定台座３２、係止板取り付け用突起４０、バネ引掛け挿入孔４４を形成している。回転軸４とケーシング３１に固定された係止板取り付け用台座３９には、板バネ固定台座３２が図１における左右端部に設けられ、板バネ固定台座３２の先端部には、板バネ３０を固定する略コの字状に折り曲げられて形成された板バネ固定部３３が形成されている。【００２５】前記係止板取り付け用台座３９は、例えば、適宜金属材や、適宜樹脂材や、適宜複合材や、その他の適宜材料によって一体的に構成され、或いは、別体で形成し，これを組合せて構成されたものでも良い。【００２６】板バネ３０は、Ｅリング２８に接触しないようにＥリング２８側（図１において下側）に台形型の切り欠き（図１参照）を設けてある。板バネ３０は板バネ固定部３３と係止板取り付け用台座３９に挟み込むように固定され、回転軸凹部２４の側面に接触して配置され、係合体３が施錠位置側２５か開錠位置側２６かに戻るように板バネ３０から付勢力を受けながら回転できるよう取り付けられている。【００２７】さらに、図８に示すように、従来技術のものと略同様にケーシング３１には、回転軸４と係合体３の回転角度を施錠位置側２５か開錠位置側２６の方向にのみ係合体３が１８０°回転するようにケーシング３１の図５において平面下部中央部分に円柱状係止ピン５４の突起を有し係合体３の回転範囲を規制する。また、係合体３の回転範囲を規制する突起はピン状を使った方法だけではなく、ケーシング３１に切り起こし等の突起であっても良い。また、係合体３の回転範囲を規制する方法であれば他のどのような方法でも良い。【００２８】図１に示すように、係止板取り付け用突起４０は、係止板取り付け用台座３９の板バネ固定部３３の図１における反対側の左右端部に一対の係止板取り付け用突起４０がそれぞれ相対する形状で形成され、係止板取り付け用突起４０の先端部分には支持ピン挿入孔４２がそれぞれ設けてある。さらに、係止板２２は、支持ピン４１、バネ引掛けピン４３、係止板凸部２３、及び、係止板凸部２３の回転軸側に突出する係止板凹部突起２０を有している。係止板２２の図１において左右両側側面よりに突出する係止板取り付け用突起４０の支持ピン挿入孔４２にそれぞれ挿入し、係止板２２が支持ピン４１を軸にして規制範囲内で回転可能となる。【００２９】また、バネ引掛けピン４���は係止板２２の図１における支持ピン４１と反対側の左右両端部に突出している。さらに、バネ引掛けピン４３は先端突出部が略Ｔ字型に形成され、両側のバネ引掛けピン４３に引張コイルバネ３４の係止板側フック３５を両側に引掛け、引張コイルバネ３９の台座側フック３６を係止板取り付け用台座３９の両側のバネ引掛け挿入孔４４にそれぞれ引掛けることにより、係止板２２は、引張コイルバネ３４の介在により回転軸側に引張られ、係止板２２より突出した係止板凸部２３が回転軸凹部２４の係止溝４８に挟まれ嵌合する。よって、回転軸４及び、係合体３の回転が規制されてロック状態となり、施錠状態をロックし保持することができる。【００３０】さらに、軸体１５はフランジ１６、軸体円柱状突起１７、軸体角軸状凸突起１８が形成され、軸体角軸状凸突起１８は係止板結合用挿通孔１９が形成され、係止板凸部２３の係止板凹部突起２０に形成される両側突起部の間に挟むように嵌入される。係止板凹部突起２０は、両側突起部に軸体連結用挿通孔２１が形成されている。係止板連結用挿通孔１９と軸体連結用挿通孔２１に係止板軸体連結用ネジ３７を貫通し、反対側の端部である先端に、ナット３８を捩じ込み係止板凸２３が支持ピン４１を中心軸として回動ができ、軸体１５が軸線方向に移動が自在にできるように締め、連動連結させ固定する。また、軸体角軸状凸突起１８と係止板凹部突起２０の連結固定方法は、係止板軸体連結用ネジ３７とナット３８を使用した方法だけではなく、カシメピンなどほかの適宜方法でも良い。【００３１】次に、図５、図６はこの発明に係る防犯クレセント錠１のハンドル部分２および，クレセント錠の板バネ３０と引張りコイルバネ３４を除いた縦断面図である。図５は、クレセント錠１とハンドル２が嵌合して、ロック状態を解除した状態の縦断面図である。図６は、ハンドルが引き抜かれて、ロック状態の縦断面図である。【００３２】図５に示すように、係止板２２と軸体角軸状凸突起１８が連結されている軸体１５には、軸体角軸状凸突起１８と一体化された円柱状のフランジ１６があり、挿通孔７より大きな直径を有している。さらに、軸体１５は軸体角軸状凸突起１８の反対側の先端部に、フランジ１６から段部となった小径部を形成した軸体円柱状突起１７があり、挿通孔７に挿入され、図６に示すように、フランジ１６と挿通孔７縁周囲部分が当接して、軸体１５は係止状態となり、係止板２２と係止板凸２３の回動範囲を規制することができる。【００３３】上記軸体円柱状突起１７は、係止板２２に固定された引張コイルバネ３４の介在により、挿通孔７の軸線方向に移動自在に常に内挿し、図５に示すように、係止板凸２３が係止溝４８より離脱し回転規制が解除された状態でも挿通孔７に内挿し、また、図６に示すように、ロック状態でも，挿通孔７のハンドル側開口部より突出せず挿通孔７の軸内中央部に内挿している長さを形成している。【００３４】また、角穴嵌合部１０が角軸状嵌合部１１と嵌合することにより、ハンドル２の四角形開口凹部１２の奥底面より突出する挿通突起８が挿通孔７に挿入され、挿通突起８が挿通孔７に内挿されている軸体円柱状突起１７に挿通孔７内で係合し押接することにより、軸体１５が軸線方向���移動し、軸体１５と連結している係止板２２を係止溝４８から押し上げられて、係止溝４８から係止板凸２３が抜脱されることにより、回転軸４の回転規制を解除することができ、回転軸４が回転自在となり、ハンドル及び、係合体３を回転させることが可能となる。【００３５】次に、その使用例について説明すると、図３，図６に示すように、係合体３と受け５３が係合して施錠状態となり、クレセント錠１からハンドル２が引き抜かれると、クレセント錠１の係合体３は、引張コイルバネ３４の介在により係止板凸２３が係止溝４８に嵌入され、回転軸４の回転が規制されている。すなわち、係合体３の回転も規制され施錠ロック状態になる。また、図４、図６に示すように、施錠ロック状態を解除するには、ハンドル２のハンドルレバー９を上にしてクレセント錠１の角軸状嵌合部１１にハンドル部分２の角穴嵌合部１０を所定位置まで差込み、ハンドル２がクレセント錠１に嵌合されて一体化となり、さらに、角穴嵌合部１０が角軸状嵌合部１１と嵌合すると同時に挿通突起８が挿通孔７内で軸体１５を押し上げ、係止板凸２３が係止溝４８から抜脱される。すなわち、回転軸４は回転自在となり、ハンドルレバー９を時計回りに１８０°回転操作することにより係合体３と受け５３が係脱されて施錠状態を解錠することができる。【００３６】図２、図５に示すように、ハンドル２の角穴嵌合部１０が角軸状嵌合部１１と嵌合し、これらの嵌合により永久磁石１３と結合用鋼体１４とが係合し、永久磁石１３の磁力により結合用鋼体１４が引張られ圧接することで、ハンドル部分２が保持され、脱落を防止することができる。【００３７】上記ハンドル２の着脱は、クレセント錠１が施錠状態、又は、開錠状態でもハンドル２の着脱が自在にできるように嵌合部分が簡単な形状で形成されている着脱方法について述べたが、このハンドル２の着脱方法は、例えば、図８に示すような、着脱を規制する構成でも良い。この場合、嵌合部分に、角穴嵌合部１０に遊嵌孔５５及び、角軸状嵌合部１１に遊嵌孔５６を設け、遊嵌孔５６に係止ピン５７を内挿させた構成である。【００３８】次に、上記したハンドル２の着脱を規制する方法について説明する。図９（ａ）は、防犯クレセント錠からハンドル２の着脱を規制している状態についての実施例を示す一部縦断面図である。図９（ｂ）は、防犯クレセント錠からハンドルの引き抜きの規制を解除している状態について示す一部縦断面図である。図９（ｂ）に示すように、角穴嵌合部１０が施錠ロック状態で角穴嵌合部１０の図９（ｂ）において上側部分に四角形開口凹部１３側より穿設された遊嵌孔５５を有している。さらに、クレセント錠１の角軸状嵌合部１１にも、施錠ロック状態で角軸状嵌合部１１の図９（ｂ）において上側より遊嵌孔５５と相対位置で、（図９（ａ）参照）しかも、遊嵌孔５５より深く穿設された遊嵌孔５６を有している。遊嵌孔５６には係止ピン５７が軸線方向に移動自在に常に内挿している。係止ピン５７は遊嵌孔５５、遊嵌孔５６より小さい径で形成され、施錠ロック状態では遊嵌孔５６と同等の長さを有し、且つ、遊嵌孔５６の先端開口部分より突出することなく遊嵌孔５６に内挿され、図９（ａ）に示すように、ハンドルレバー９を��計回りに１８０°回転させ施錠を解除状態にさせることにより、係止ピン５７は遊嵌孔５６より遊嵌孔５５へ先端部より約半分が挿入し係止状態となり、角穴嵌合部１０と角軸状嵌合部１１の抜脱が規制されハンドル２を引き抜くことはできない。図９（ｂ）に示すように、ハンドル２を引き抜くには、ハンドルレバー９を反時計回りに１８０°回転させ、クレセント錠１の係合体３と受け５が係合され施錠ロック状態にさせることにより、係止ピン５７は遊嵌孔５５より遊嵌孔５６内に移動して係止状態が解除され、ハンドル２は引き抜くことができる。尚、ハンドル２の着脱を規制する方法は、係止ピン５７、遊嵌孔５６、遊嵌孔５５、で構成された方法だけではなく、ハンドル２の着脱を規制できる他の適宜方法でも良い。【００３９】図７は本発明による防犯クレセント錠の取り付けの状態を示す斜視図である。図７に示すように、クレセント錠１は、従来内障子の召し合わせ框５０の側面に取り付けてある従来のクレセント錠（図示せず）を取り外し、クレセント錠１を取り付けネジ４９にてクレセント錠取り付け用長穴５２を通して従来内障子の召し合わせ框５０に備え付けの上下２箇所に穿設された挿通孔（図示せず）に螺合して固定する。しかしながら、この場合、従来内障子の召し合わせ框５０に備え付けの上下２箇所に穿設された挿通孔（図示せず）の間隔は備え付けてある従来のクレセント錠（図示せず）により異なるので、挿通孔（図示せず）の間隔は必ずしも一定ではない為、取り付ける挿通孔（図示せず）に合うように調整できるように取り付け用ネジ穴をケーシング３１の係合体３の上下２箇所に凹状の開口する縦長穴を有するクレセント錠取り付け用長穴５２を構成することにより、取り付けネジ４９をクレセント錠１の係合体３と受け５が係合される位置でクレセント錠１を備え付けの挿通孔に合うように上下に調整して取り付けネジ４９で螺合して簡単に取り付けることができる。すなわち、従来のクレセント錠（図示せず）を取り外して、ロック機能付きクレセント錠１に簡単に付け替えることが可能である。【００４０】また、クレセント錠１は、上記付け替えに限らず、新しいサッシの召し合わせ框に取り付けることも可能である。この場合、内障子の召し合わせ框５０にネジ穴を新たに開口することで、取り付けネジ４９にてクレセント錠１をとりつけることが可能になる。また、取り付けネジ穴はクレセント錠取り付け用長穴５２の長穴する必要はなく、取り付けネジ４９が捩じ込める同等の直径を有する挿入孔であれば良い。さらに、外障子の召し合わせ框５１には、クレセント錠１の係合体３と係合する位置に受け５３を取り付け固定する必要がある。【００４１】図７に示すように、クレセント錠１の施錠ロック後に引き抜かれたハンドル２は、外部の不正侵入者が屋外側から窓のガラス板の一部を破壊して、破壊された開口から手指を挿入しても届かない場所にハンドル収納ケース５８を設置して、ハンドル２をハンドル収納ケース５８に収納して保管しておくと係合体３を回転させることができないため、不正開錠による犯罪を確実に未然に防止する抑止効果は高く、施錠信頼性をより向上させることができる。また、図７においては、ハンドル２の収納方法の説明として���りやすく内障子の召し合わせ框５０の室内側にハンドル収納ケース５８を設けているが、設置場所はこの方法でなくても良い。このように、ハンドル２をハンドル収納ケース５８に収納して保管しておくとハンドル２の紛失も防止できる。【００４２】ところで、防犯クレセント錠の具体的構成、形状、寸法、材質、クレセント錠１の、具体的構成、形状、寸法、材質、ハンドル２の具体的構成、形状、寸法、材質、係合体３の具体的構成、形状、寸法、材質、回転軸４の具体的構成、形状、寸法、材質、角穴嵌合部１０の具体的構成、形状、寸法、材質、角軸状嵌合部１１の具体的構成、形状、寸法、材質、ロック機構Ａの具体的構成、形状、寸法、材質、軸体１５の具体的構成、形状、寸法、材質、係止板取り付け用台座３９の具体的構成、形状、寸法、材質、係止板２２の具体的構成、形状、寸法、材質、ケーシング３１の具体的構成、形状、寸法、材質、等は、図示例のもの等に限定されることなく、適宣自由に設定、変更できるものである。【００４３】本発明の防犯クレセント錠は、上記の如く構成されており、ハンドル２が着脱自在にできるように、回転軸４とハンドル２に嵌合部を設け、ハンドル２を回転操作することにより、施解錠ができ、ハンドル２がクレセント錠１から引き抜かれた状態では、回転軸４は係止板２２が引張コイルバネ３４の介在により引張られ、回転軸４の係止溝４８に挟まれ嵌合し回転が規制され施錠ロック状態となり、係合体３を回転させることはできない。したがって、外部の不正侵入者が屋外側から窓のガラス板の一部を破壊して、この破壊された開口を通して工具や手指を挿入し、不正に回転操作や押圧するようにしてもロック機能Ａはケーシング３１内に内蔵されており、外装表面には露出していないので、安易にロックを解除することは不可能となり、ロックを解除するには同一のハンドル２を用いて回転軸４に嵌合させる以外にロックは解除できない。特に、クレセント錠にハンドル部分がなく、さらに、ロック機能Ａを設けたことで、不正開錠による犯罪を確実に未然に防止する抑止効果は高く、施錠信頼性をより向上させることができる。
【図面の簡単な説明】
【００４４】
【図１】本発明による防犯クレセント錠のロック機能Ａを示す分解斜視図である。
【図２】防犯クレセント錠の構成を示す分解断面図である。
【図３】防犯クレセント錠のロックを機能させた状態の説明図である。
【図４】防犯クレセント錠のロックを解除させた状態の説明図である。
【図５】防犯クレセント錠のロックを機能させた状態の縦断面図である。
【図６】防犯クレセント錠からハンドルを引き抜き、板バネ２５と引張りコイルバネを除いたロック状態を示す縦断面図である。
【図７】本発明による防犯クレセント錠の取り付けた状態を示す斜視図である。
【図８】（ａ）防犯クレセント錠からハンドルを引き抜かれた状態を示す斜視図である。（ｂ）防犯クレセント錠へハンドルを嵌合させた状態を示す斜視図である。
【図９】（ａ）防犯クレセント錠からハンドルの引き抜きを規制している状態について示す一部縦断面図である。（ｂ）防犯クレセント錠からハンドルの引き抜きの規制を解除している状態について示す一部縦断面図である。
【符号の説明】
【００４５】Ａロック機能
１クレセント錠
２ハンドル
３係合体
４回転軸
５円柱状軸基
６係合体系止ピン
７挿通孔
８挿通突起
９ハンドルレバー
１０角穴嵌合部
１１角軸状嵌合部
１２四角形開口凹部
１３永久磁石
１４鋼体
１５軸体
１６フランジ
１７軸体円柱状突起
１８軸体角軸状凸突起
１９係止板結合用挿通孔
２０係止板凹部突起
２１軸体連結用挿通孔
２２係止板
２３係止板凸部
２４回転軸凹部
２５施錠位置側
２６開錠位置側
２７リング
２８Ｅリング
２９Ｅリング係止溝
３０板バネ
３１ケ−シング
３２板バネ固定台座
３３板バネ固定部
３４引張コイルバネ
３５係止板側フック
３６台座側フック
３７係止板軸体結合用ネジ
３８ナット
３９係止板取り付け用台座
４０係止板取り付け用突起
４１支持ピン
４２支持ピン挿入孔
４３バネ引掛けピン
４４バネ引掛け挿入孔
４５回転軸挿入円形
４６回転軸挿入円形
４７ロック機構収納空間
４８係止溝
４９取り付けネジ
５０内障子の召し合わせ框
５１外障子の召し合わせ框
５２クレセント錠取り付け用長穴
５３受け
５４円柱状係止ピン
５５遊嵌孔
５６遊嵌孔
５７係止ピン
５８ハンドル収納ケース
【図１】
2007107355.tif 000003
【図２】
2007107355.tif 000004
【図３】
2007107355.tif 000005
【図４】
2007107355.tif 000006
【図５】
2007107355.tif 000007
【図６】
2007107355.tif 000008
【図７】
2007107355.tif 000009
【図８】
2007107355.tif 000010
【図９】
2007107355.tif 000011
【手続補正書】
【提出日】平成18年9月12日(2006.9.12)
【手続補正１】
【補正対象書類名】特許請求の範囲
【補正対象項目名】全文
【補正方法】変更
【補正の内容】
【特許請求の範囲】
【請求項１】
窓の内障子の召し合わせ框の側面に装着される防犯クレセント本体において、該クレセント本体からハンドルが着脱自在になるように、該ハンドルと前記クレセント本体の取り付け部分に相対応する嵌合部を設け、
前記ハンドルを前記クレセント本体に装着し、該装着したハンドルを回転操作することにより、前記クレセント本体の係合体が回転すると共に、外障子の召し合わせ框の室内側の係止部と係合、係脱して、施解錠し、
施錠状態から前記ハンドルを前記クレセント本体から引き抜くことにより、前記回転軸と前記係合体の回転が規制されて施錠ロック状態を維持し、
前記ハンドルを前記クレセント本体に装着し回転操作することにより施錠ロック状態を解除することができることを特徴とする防犯クレセント錠。
【請求項２】
前記ハンドルの嵌合部には棒状の挿通突起を有し、前記クレセント本体の表面には前記回転軸の嵌合部と前記係合体が一体化して回転自在に突出しており、前記回転軸は軸線方向に貫通する挿通孔と嵌合部反対側に係止溝を設け、さらに前記クレセント本体内には前記係止溝と該係止溝に嵌合し回転軸の回転を規制する係止板と、該係止板と連結連動する軸体を設け、該軸体は段部からなる小径部を有し、該小径部は前記係止溝側から前記挿通孔に移動自在に内挿されかつ前記段部は前記挿通孔縁周囲部分に当接して前記係止板の移動範囲を規制すると共に、前記係止板と軸体が移動可能となるように前記係止板を保持する台座を備え、該台座には前記係止板を前記係止溝に嵌め込む方向に付勢する付勢手段を設け、該付勢手段により前記係止板が前記係止溝と嵌合して、前記回転軸と前記係合体の回転が規制されて施錠ロック状態を保持する回転規制機構を設けたことを特徴とする請求項１に記載の防犯クレセント錠。
【請求項３】
前記回転規制機構により、前記クレセント本体から前記ハンドル部分を施錠状態で引き抜くと、前２係止板は付勢手段により前記回転軸の係止溝に嵌め込まれ、前記回転軸と係合体の回転が規制されて施錠ロック状態となり、施錠ロック状態を解除するには、前記クレセント本体に前記ハンドル部分を装着し、該ハンドル部分と前記クレセント本体が嵌合一体化され、嵌合と同時に前記ハンドル側嵌合部の挿通突起の先端が前記回転軸の挿通孔に挿入され、該挿通孔内に内挿されている前記軸体の先端を押接し、該軸体が前記係止板側へ移動して前記係止溝から前記軸体と連結連動する前記係止板が抜脱されて前記回転軸と係合体の回転規制が解除され、前記ハンドル部分と係合体が回転可能となり、施錠ロック状態を解除することが出きることを特徴とする請求項１及び請求項２に記載の防犯クレセント錠。
【請求項４】
前記ハンドルレバーが上側にあり、かつ施錠ロック状態で、前記クレセント本体嵌合部上部に挿入孔と前記ハンドル嵌合部内側に係止孔を当接面に相対位置で設け、前記係止孔より前記挿入孔は深く窮設されており、該挿入孔より突出しない係止ピンが垂直方向に移動自在に内装され、該係止ピンが前記挿入孔に内装状態で、前記ハンドルを引き抜くことが可能となり、該ハンドルを時計回りに略１８０°回転して施錠を解除した状態では、前記挿入孔から前記係止ピンが垂直に移動し、前記係止孔に前記係止ピンの一部が挿入され係止状態となり、前記ハンドルの引き抜きは規制され、該ハンドルレバーを反時計回りに略１８０°回転させて前記係合体と前記係止部が係合した施錠状態で、前記係止ピンは前記係止孔から前記挿入孔へ垂直に移動して内装され、前記ハンドルは前記クレセント本体から施錠ロック状態で着脱可能となることを特徴とする請求項１、請求項２、及び請求項３に記載の防犯クレセント錠。
【手続補正２】
【補正対象書類名】明細書
【補正対象項目名】全文
【補正方法】変更
【補正の内容】
【発明の詳細な説明】
【技術分野】
【０００１】本願発明は施錠したクレセト錠が不正に解錠できないように工夫した窓用の防犯クレセント錠に関するものである。
【背景技術】
【背景技術】
【０００２】従来、クレセント錠は、窓の施解錠と機密性を保持する機能として通常一般的である。また、一般的なクレセント錠は台座、係合体及びハンドルが一体化されて、内障子の召し合わせ框の側面に取り付けられており、さらに、外障子の召し合わせ框の室内側に係止部が取り付けられており、クレセント錠のハンドルを回転操作することにより係合体と係止部が係合して外側と内側の障子が開かないように施錠する、また、引き分け、引き寄せ機能により両側の召し合わせ框を引き寄せる事で密着させ室内での機密性を保持する事ができ、施開錠操作をするには、単にハンドルを回転操作するだけで済み、操作が非常に安易であるという利点から広く使用されている。【０００３】更に、内障子の召し合わせ框の側面に取り付けられているクレセント錠の側面や回転軸などにつまみ、或いはスライド板やボタンなどによる不正解錠防止のロック機構がクレセント錠と一体化されて設けられており、ロック機構を操作するには手動にて、つまみ部分を回転操作やスライド板をスライド操作、また、ボタンやロック切り替えスイッチなどを押圧するようにしてロック或いはロックを解除するロック機能付クレセント錠なども数多く提案されている。この種のクレセント錠では、係合体とハンドルが一体化しており、ハンドル部分を回転操作することにより、外障子の召し合わせ框の室内側の係止部と障子の召し合わせ框の側面に取り付けられている係合体が係合することによって施錠状態となり、この施錠状態の時にロック機構をロック操作することでクレセント錠のハンドル及び係合体の回転を規制させ施錠状況を維持させる機能を有している。【０００４】また、特許文献１の発明においては、ハンドル部分以外の台座、回転軸、係合体、バネなどの機構を機構本体に収めサッシの内障子の召し合わせ框に内蔵し、係止部を外障子の召し合わせ框に内蔵して取り付けられており、内障子の召し合わせ框の側面挿入孔からハンドルが着脱可能なクレセント錠が報告されている。しかしながら、特許文献１においては、不正解錠防止機能を向上させるためのものであり、召し合わせ框に一般的に取り付けられているクレセント錠を特許文献１に記載のクレセント錠を障子の召し合わせ框に新たに装着するには、内側及び外側の召し合わせ框に大きな切り欠きを複数開口しなければならず、取り付けにも手間がかかり、容易に取り付けることができない。
【特許文献１】特開２００１−８２０１９号公報
【発明の開示】
【発明が解決しようとする課題】
【０００５】しかしながら、前記した従来のクレセント錠は未だ解決すべき以下のような問題があった。一般的にガラス板を嵌め込んだ構造の窓では、外部の不正侵入者がこのガラス板の一部を破壊して手先が入る程度の開口を作り、この開口を通して手先やドライバーなどの工具を室内側に挿入し、内障子の召し合わせ框の側面に取り付けられているクレセント錠のハンドル部分を手先やドライバーなどの工具を挿入して力を加えることで、クレセント錠が不正に操作され不正開錠させ得る、という不都合がある。【０００６】また、前記した従来のクレセント錠は、ロック機能をロック状態にするには、クレセント錠を施錠状態に操作することによって自動でロック状態にする自動ロック機能付クレセント錠も見受けられるがロック状態を解除するには手動にて解除しなければならない、そして、通常一般的に見受けられるロック機能付クレセント錠では、ロック機能をロック、或いは、ロックを解除するには手動にてロック操作を行うため、クレセント錠及び、ロック機能を個別に操作しなければならないため、クレセント錠は施錠状態でもロック機能はロックされていない状況の虞が予想されるようになった。すなわち、ロック機能をロック、或いは、ロックを解除するには、クレセント錠及び、ロック機能を個別に操作しなければならず、操作性が悪くなる不都合がある。【０００７】しかしながら、前記したロック機能付クレセント錠を外部の不正侵入者が屋外側から窓のガラス板の一部を破壊して、この破壊された開口を通して工具や手指を挿入し回転操作や押圧するようにして、いとも簡単にロックを解除されてしまう。すなわち、この種のロック機能付クレセント錠でも施錠状態が解除され室内に侵入されてしまい施錠解除が防止できず、十分な施錠信頼性を得ることができなかったという防犯上の問題点があった。【０００８】そこで、本発明の防犯クレセント錠は上記状況に鑑みてなされたもので、上記したようにガラス板が破壊されて屋外側から手先や工具などが挿入された場合にも不正解錠行為を防止し施錠信頼性も向上させることもでき、且つ、取り付け及び交換が容易にできるクレセント錠を提供し、クレセント錠の不正解除防止機能の向上を図ることを目的とする。
【課題を解決するための手段】
【０００９】窓の内障子の召し合わせ框の側面に装着される防犯クレセント本体において、該クレセント本体からハンドルが着脱自在になるように、該ハンドルと前記クレセント本体の取り付け部分に相対応する嵌合部を設け、
前記ハンドルを前記クレセント本体に装着し、該装着したハンドルを回転操作することにより、前記クレセント本体の係合体が回転すると共に、外障子の召し合わせ框の室内側の係止部と係合、係脱して、施解錠し、
施錠状態から前記ハンドルを前記クレセント本体から引き抜くことにより、前記回転軸と前記係合体の回転が規制されて施錠ロック状態を維持し、
前記ハンドルを前記クレセント本体に装着し回転操作することにより施錠ロック状態を解除することができることを特徴とする防犯クレセント錠。【００１０】前記ハンドルの嵌合部には棒状の挿通突起を有し、前記クレセント本体の表面には前記回転軸の嵌合部と前記係合体が一体化して回転自在に突出しており、前記回転軸は軸線方向に貫通する挿通孔と嵌合部反対側に係止溝を設け、さらに前記クレセント本体内には前記係止溝と該係止溝に嵌合し回転軸の回転を規制する係止板と、該係止板と連結連動する軸体を設け、該軸体は段部からなる小径部を有し、該小径部は前記係止溝側から前記挿通孔に移動自在に内挿されかつ前記段部は前記挿通孔縁周囲部分に当接して前記係止板の移動範囲を規制すると共に、前記係止板と軸体が移動可能となるように前記係止板を保持する台座を備え、該台座には前記係止板を前記係止溝に嵌め込む方向に付勢する付勢手段を設け、該付勢手段により前記係止板が前記係止溝と嵌合して、前記回転軸と前記係合体の回転が規制されて施錠ロック状態を保持する回転規制機構を設けたことを特徴とする請求項１に記載の防犯クレセント錠。【００１１】前記回転規制機構により、前記クレセント本体から前記ハンドル部分を施錠状態で引き抜くと、前記係止板は付勢手段により前記回転軸の係止溝に嵌め込まれ、前記回転軸と係合体の回転が規制されて施錠ロック状態となり、施錠ロック状態を解除するには、前記クレセント本体に前記ハンドル部分を装着し、該ハンドル部分と前記クレセント本体が嵌合一体化され、嵌合と同時に前記ハンドル側嵌合部の挿通突起の先端が前記回転軸の挿通孔に挿入され、該挿通孔内に内挿されている前記軸体の先端を押接し、該軸体が前記係止板側へ移動して前記係止溝から前記軸体と連結連動する前記係止板が抜脱されて前記回転軸と係合体の回転規制が解除され、前記ハンドル部分と係合体が回転可能となり、施錠ロック状態を解除することが出きることを特徴とする請求項１及び請求項２に記載の防犯クレセント錠。【００１２】前記ハンドルレバーが上側にあり、かつ施錠ロック状態で、前記クレセント本体嵌合部上部に挿入孔と前記ハンドル嵌合部内側に係止孔を当接面に相対位置で設け、前記係止孔より前記挿入孔は深く窮設されており、該挿入孔より突出しない係止ピンが垂直方向に移動自在に内装され、該係止ピンが前記挿入孔に内装状態で、前記ハンドルを引き抜くことが可能となり、該ハンドルを時計回りに略１８０°回転して施錠を解除した状態では、前記挿入孔から前記係止ピンが垂直に移動し、前記係止孔に前記係止ピンの一部が挿入され係止状態となり、前記ハンドルの引き抜きは規制され、該ハンドルレバーを反時計回りに略１８０°回転させて前記係合体と前記係止部が係合した施錠状態で、前記係止ピンは前記係止孔から前記挿入孔へ垂直に移動して内装され、前記ハンドルは前記クレセント本体から施錠ロック状態で着脱可能となることを特徴とする請求項１、請求項２、及び請求項３に記載の防犯クレセント錠。【００１３】本願発明の防犯クレセント錠は、係合体と係止部が係合した施錠状態で、前記クレセント本体から前記ハンドルを引き抜くことにより、前記係止板が前記係止溝と嵌合して、前記回転軸と��記係合体の回転が規制されて施錠ロック状態となり、再度同一の前記ハンドル部分を前記クレセント本体に装着することにより、前記係止溝から前記係止板が抜脱されて前記回転軸と係合体の回転規制が解除され前記回転軸が回転自在となり、前記ハンドルの回転操作により係合体と係止部が係脱されて施錠ロック状態を解錠することができる。このように、前記ハンドルの着脱や回転操作だけで、施錠ロック状態を保持又は解除する回転規制機構を有していることを特徴とする。【００１４】本願発明の防犯クレセント錠は、前記のように、前記ハンドルの着脱によって前記回転軸の回転を解除、又は規制する回転規制機構を有する構造で、施錠状態で、前記クレセント本体から前記ハンドル部分を引き抜かれて状態では、不正侵入者が屋外側から窓のガラス板を破壊する行為を未然に防止することもでき、さらに、不正侵入者が屋外側から窓のガラス板の一部を破壊し、この破壊された開口を通して工具や手指を挿入しハンドル部分を不正に回転操作や押圧するようにして解錠することは不可能で、また簡単にロックを解除されないように回転規制機構をクレセント本体の収納空間にコンパクトに収納したことを特徴とする。
【発明の効果】
【００１５】本願発明の防犯クレセント錠は、ハンドルが着脱自在にできるように、回転軸側とハンドルに嵌合部を設け、ハンドルを回転操作することにより、施解錠ができ、施錠状態でハンドルを引き抜くことにより、係止板が引っ張りコイルバネの介在により引っ張られ、回転軸の係止溝に挟まれ嵌合することで回転軸と係合体の回転が規制され施錠ロック状態となる回転規制機構を設けたことで不正な開錠はできない。仮に、外部の不正侵入者が屋外側から窓のガラス板の一部を破壊して、この破壊された開口を通して工具や手指を挿入し、不正に回転操作や押圧するようにしてもロック機能はクレセント本体内に収められており、外装表面には露出していないので、ロックを解除することは不可能となり、ロックを解除するには同一のハンドルを用いて回転軸に嵌合させる以外にロックは解除できない。特に、クレセント錠にハンドルがないため、不正開錠による犯罪を確実に未然に防止する抑止効果は高く、施錠信頼性をより向上させることができる。【００１６】また、備え付けのクレセント錠に簡単に付け替えられて、ロック操作もハンドルを引き抜くことで、施錠ロックすることができるので操作性も向上させることができる。しかも、構成が簡素であるため、量産も可能となり、安価にて提供が可能となり、経済的な防犯クレセント錠である。
【発明を実施するための最良の形態】
【００１７】以下、本願発明による、防犯クレセント錠の構造について、実施形態に対応する図面を参照して詳細に説明する。図７は本願発明に係る防犯クレセント錠の取り付けた状態を示す斜視図である。クレセント本体１は内障子の召し合わせ框５０の側面に取り付ける。図１に示すように、クレセント本体１は、ケーシング３１と防犯クレセント錠の主要構成部分である回転規制機構Ａを構成する係合体３、回転軸４、軸体１５、係止板２２、係止板取り付け台座３９で大略構成されている。【００１８】図１に示すように、ケーシング３１は、回転軸を挿入する回転軸挿入円形４５と内障子の召し合わせ框５０に取り付けるための、後述する取り付けネジ４９を挿入するクレセント錠取り付け用長穴５２と後述する円柱状係止ピン５４で形成されている。クレセント錠取り付け用長穴５２は、備え付けのクレセント錠（図示せず）が取り付けてあったネジ挿通孔（図示せず）に取り付けネジ４９が合うように上下に調整することができ、付け替えも容易にできるように略凹状の空間を有する凹部底面に長穴が設けてある。さらに、ケーシング３１のハンドル操作側には係合体３と角軸状嵌合部１１が一体化されて突出するように設けられている、また、ケーシング３１の内側には回転規制機構収納空間４７が設けられており、この回転規制機構収納空間４７には、回転規制機構Ａが収納されている。【００１９】クレセント本体１の主要構成部分である回転規制機構機構Ａは、図１に示すようにクレセント本体１の回転規制機構収納空間４７に係合体３以外の回転軸４の回転軸凹部２４、軸体１５、係止板取り付け用台座３９、係止板２２から構成される回転規制機構Ａが収められている。回転軸４は、中央部分に円柱状軸基５、ハンドル２と嵌合する角軸状嵌合部１１、係止部５３と係合する係合体３、係止板２２を挟みこむ回転軸凹部２４とで一体化して形成されており、さらに、角軸状嵌合部１１の先端部分にはハンドル２を保持する為の永久磁石１３が設けられている。円柱状軸基５には、回転軸４を固定する為のＥリング係止溝２９が形成されている。また、回転軸４の軸線方向に後述するハンドル２の四角形開口凹部１２より突出する挿通突起８及び軸体１５の円柱状突起１７が挿通可能となる、挿通孔７が穿設されている。【００２０】図２，図５に示すように、回転軸４は、回転軸凹部２４からケーシング３１の回転軸挿入円形４５のハンドル操作側から挿入し、角軸状嵌合部１１と係合体３がハンドル２と嵌合できる状態で、ケーシング３１のハンドル操作側に突出している。さらに、ハンドル２にも角軸状嵌合部１１に対応する角穴嵌合部１０を備え、角軸状嵌合部１１と角穴嵌合部１０が嵌合することにより、ハンドル２とクレセント本体１が嵌合されて一体化となり、ハンドル２を操作することで係合体３を回転させることができる。【００２１】尚、前記角穴嵌合部１０及び、角軸状嵌合部１１の嵌合する形状は四角形で形成されていたが、回転軸４の嵌合部及び、ハンドル２の嵌合部１１が嵌合して一体化することができ、回転操作が滑らかにできる形状であれば、他のどのような形状でも良い。【００２２】図２に示すように、回転軸４は回転軸凹部２４がクレセント本体１のハンドル操作側からケーシング３１の回転軸挿入円形開口４５へ挿入し、さらに、回転規制機構収納空間４７の係止板取り付け用台座３９の回転軸挿入円形開口４６へ挿通され、係止板取り付け用台座３９を貫通し係止板２２側に突出している。係合体３とケーシング３１との間には、回転を滑らかにするためにリング２７を介在させてあり、回転軸４が係止板取り付け台座３９に突出した部分には移動規制部材のＥリング２８を挟みこむＥリング係止溝２９が形成されている。Ｅリング２８をＥリング係止溝２９に挟み込み、ケーシング３１と係止板取り付け用台座３９と回転軸４を固定し、回転軸４の抜脱が規制されて回転自在となっている。【００２３】前記回転軸４は、例えば、適宜金属材や、適宜樹脂材や、適宜複合材や、その他の適宜材料によって一体的に構成され、或いは、別体で形成し，これを組合せて構成されたものでも良い。【００２４】図１に示すように、係止板取り付け用台座３９には、板バネ固定台座３２、係止板取り付け用突起４０、バネ引掛け挿入孔４４を形成している。回転軸４とケーシング３１に固定された係止板取り付け用台座３９には、板バネ固定台座３２が図１における左右端部に設けられ、板バネ固定台座３２の先端部には、板バネ３０を固定する略コの字状に折り曲げられて形成された板バネ固定部３３が形成されている。【００２５】前記係止板取り付け用台座３９は、例えば、適宜金属材や、適宜樹脂材や、適宜複合材や、その他の適宜材料によって一体的に構成され、或いは、別体で形成し、これを組合せて構成されたものでも良い。【００２６】板バネ３０は、Ｅリング２８に接触しないようにＥリング２８側（図１において下側）に台形型の切り欠き（図１参照）を設けてある。板バネ３０は板バネ固定部３３と係止板取り付け用台座３９に挟み込むように固定され、回転軸凹部２４の側面に接触して配置され、係合体３が施錠位置側２５か開錠位置側２６かに戻るように板バネ３０から付勢力を受けながら回転できるよう取り付けられている。【００２７】さらに、図８に示すように、従来技術のものと略同様にケーシング３１には、回転軸４と係合体３の回転角度を施錠位置側２５か開錠位置側２６の方向にのみ係合体３が略１８０°回転するようにケーシング３１の図５において平面下部中央部分に円柱状係止ピン５４の突起を有し係合体３の回転範囲を規制する。また係合体３の回転範囲を規制する突起はピン状を使った方法だけではなく、ケーシング３１に切り起こし等の突起であっても良い。また、係合体３の回転範囲を規制する方法であれば他のどのような方法でも良い。【００２８】図１に示すように、係止板取り付け用突起４０は、係止板取り付け用台座３９の板バネ固定部３３の図１における反対側の左右端部に一対の係止板取り付け用突起４０がそれぞれ相対する形状で形成され、係止板取り付け用突起４０の先端部分には支持ピン挿入孔４２がそれぞれ設けてある。さらに、係止板２２は、支持ピン４１、バネ引掛けピン４３、係止板凸部２３、及び、係止板凸部２３の回転軸側に突出する係止板凹部突起２０を有している。係止板２２の図１において左右両側側面よりに突出する係止板取り付け用突起４０の支持ピン挿入孔４２にそれぞれ挿入し、係止板２２が���持ピン４１を軸にして規制範囲内で回転可能となる。【００２９】また、バネ引掛けピン４３は係止板２２の図１における支持ピン４１と反対側の左右両端部に突出している。さらに、バネ引掛けピン４３は先端突出部が略Ｔ字型に形成され、両側のバネ引掛けピン４３に引っ張りコイルバネ３４の係止板側フック３５を両側に引っ掛け、引っ張りコイルバネ３９の台座側フック３６を係止板取り付け用台座３９の両側のバネ引掛け挿入孔４４にそれぞれ引っ掛けることにより、係止板２２は、引っ張りコイルバネ３４の介在により回転軸側に引っ張られ、係止板２２より突出した係止板凸部２３が回転軸凹部２４の係止溝４８に挟まれ嵌合する。よって、回転軸４及び、係合体３の回転が規制されてロック状態となり、施錠ロック状態を保持することができる。【００３０】さらに、軸体１５はフランジ１６、円柱状突起１７、軸体角軸状凸突起１８が形成され、軸体角軸状凸突起１８は係止板結合用挿通孔１９が形成され、係止板凸部２３の係止板凹部突起２０に形成される両側突起部の間に挟むように嵌入される。係止板凹部突起２０は、両側突起部に軸体連結用挿通孔２１が形成されている。係止板連結用挿通孔１９と軸体連結用挿通孔２１に係止板軸体連結用ネジ３７を貫通し、反対側の端部である先端に、ナット３８を捩じ込み係止板凸２３が支持ピン４１を中心軸として回動ができ、軸体１５が軸線方向に移動が自在にできるように締め、連動連結させ固定する。また、軸体角軸状凸突起１８と係止板凹部突起２０の連結固定方法は、係止板軸体連結用ネジ３７とナット３８を使用した方法だけではなく、カシメピンなどほかの適宜方法でも良い。【００３１】次に、図５、図６は本願発明に係る防犯クレセント錠のハンドル２および，クレセント本体１の板バネ３０と引っ張りコイルバネ３４を除いた縦断面図である。図５は、クレセント本体１とハンドル２が嵌合して、ロック状態を解除した状態の縦断面図である。図６は、ハンドルが引き抜かれて、ロック状態の縦断面図である。【００３２】図５に示すように、係止板２２と軸体角軸状凸突起１８が連結されている軸体１５には、軸体角軸状凸突起１８と一体化された円柱状のフランジ１６があり、挿通孔７より大きな直径を有している。さらに、軸体１５は軸体角軸状凸突起１８の反対側の先端部に、フランジ１６から段部となった小径部を形成した円柱状突起１７があり、挿通孔７に挿入され、図６に示すように、フランジ１６と挿通孔７縁周囲部分が当接して、軸体１５は係止状態となり、係止板２２と係止板凸２３の回動範囲を規制することができる。【００３３】上記円柱状突起１７は、係止板２２に固定された引っ張りコイルバネ３４の介在により、挿通孔７の軸線方向に移動自在に常に内挿し、図５に示すように、係止板凸２３が係止溝４８より離脱し回転規制が解除された状態でも挿通孔７に内挿し、また、図６に示すように、ロック状態でも，挿通孔７のハンドル側開口部より突出せず挿通孔７の軸内中央部に内挿している長さを形成している。【００３４】また、角穴嵌合部１０が角軸状嵌合部１１と嵌合することにより、ハンドル２の四角形開口凹部１２の奥底面より突出する挿通突起８が挿通孔７に挿入され、挿通突起８が挿辿孔���に内挿されている円柱状突起１７に挿通孔７内で係合し押接することにより、軸体１５が軸線方向に移動し、軸体１５と連結している係止板２２を係止溝４８から押し上げて、係止溝４８から係止板凸２３が抜脱されることにより、回転軸４の回転規制を解除することができ、回転軸４が回転自在となり、ハンドル２及び、係合体３を回転させることが可能となる。【００３５】次に、その操作機能について説明すると、図３，図６に示すように、係合体３と係止部５３が係合して施錠状態となり、クレセント本体１からハンドル２が引き抜かれると、クレセント本体１の係合体３は、引っ張りコイルバネ３４の介在により係止板凸２３が係止溝４８に嵌入され、回転軸４の回転が規制されている。すなわち、係合体３の回転も規制され施錠ロック状態になる。また、図４、図６に示すように、施錠ロック状態を解除するには、ハンドル２のハンドルレバー９を上にしてクレセント本体１の角軸状嵌合部１１にハンドル２の角穴嵌合部１０を所定位置まで装着し、ハンドル２がクレセント本体１に嵌合されて一体化となり、さらに、角穴嵌合部１０が角軸状嵌合部１１と嵌合すると同時に挿通突起８が挿通孔７内で軸体１５を押し上げ、係止板凸２３が係止溝４８から抜脱される。すなわち、回転軸４は回転自在となり、ハンドルレバー９を時計回りに略１８０°回転操作することにより係合体３と係止部５３が係脱されて施錠状態を解錠することができる。【００３６】図２、図５に示すように、ハンドル２の角穴嵌合部１０が角軸状嵌合部１１と嵌合し、これらの嵌合により永久磁石１３と結合用鋼体１４とが係合し、永久磁石１３の磁力により結合用鋼体１４が引っ張られ圧接することで、ハンドル２が保持され、脱落を防止することができる。【００３７】上記ハンドル２の着脱は、クレセント本体１が施錠状態、又は、開錠状態でもハンドル２の着脱が自在にできるように嵌合部分が簡単な形状で形成されている着脱方法について述べたが、このハンドル２の着脱方法は、例えば、図８に示すような、着脱を規制する構成でも良い。この場合、嵌合部分に、角穴嵌合部１０に係止孔５５及び、角軸状嵌合部１１に挿入孔５６を設け、挿入孔５６に係止ピン５７を内挿させた構成である。【００３８】次に、上記したハンドル２の着脱を規制する方法について説明する。図９（ａ）は、クレセント本体１からハンドル２の着脱を規制している状態についての実施例を示す一部縦断面図である。図９（ｂ）は、クレセント本体１からハンドル２の引き抜きの規制を解除している状態について示す一部縦断面図である。図９（ｂ）に示すように、角穴嵌合部１０が施錠ロック状態で角穴嵌合部１０の図９（ｂ）において上側部分に四角形開口凹部１３側より穿設された係止孔５５を有している。さらに、クレセント本体１の角軸状嵌合部１１にも、施錠ロック状態で角軸状嵌合部１１の図９（ｂ）において上側より係止孔５５と相対位置で、（図９（ａ）参照）しかも、係止孔５５より深く穿設された挿入孔５６を有し、挿入孔５６には係止ピン５７が軸線方向に移動自在に常に内挿しており、係止ピン５７は係止孔５５、挿入孔５６より小さい径で形成され、施錠ロック状態では挿入孔５６と同等の長さを有し、且つ、係止孔��６の先端開口部分より突出することなく挿入孔５６に内挿されている。【００３９】図９（ａ）に示すように、ハンドルレバー９を時計回りに略１８０°回転させ施錠を解除状態にさせることにより、係止ピン５７は挿入孔５６より係止孔５５へ先端部より約半分が挿入し係止状態となり、角穴嵌合部１０と角軸状嵌合部１１の抜脱が規制されハンドル２を引き抜くことはできない。図９（ｂ）に示すように、ハンドル２を引き抜くには、ハンドルレバー９を反時計回りに略１８０°回転させ、クレセント本体１の係合体３と係止部５３が係合され施錠ロック状態にさせることにより、係止ピン５７は係止孔５５より挿入孔５６内に移動して係止状態が解除され、ハンドル２は引き抜くことができる。尚、ハンドル２の着脱を規制する方法は、係止ピン５７、挿入孔５６、係止孔５５、で構成された方法だけではなく、ハンドル２の着脱を規制できる他の適宜方法でも良い。【００４０】図７は本願発明による防犯クレセント錠の取り付けの状態を示す斜視図である。図７に示すように、クレセント本体１は、従来内障子の召し合わせ框５０の側面に取り付けてある従来のクレセント錠（図示せず）を取り外し、クレセント本体１を取り付けネジ４９にてクレセント錠取り付け用長穴５２を通して従来内障子の召し合わせ框５０に備え付けの上下２箇所に穿設されたネジ挿通孔（図示せず）に螺合して固定する。しかしながら、この場合、従来内障子の召し合わせ框５０に備え付けの上下２箇所に穿設されたネジ挿通孔（図示せず）の間隔は備え付けてある従来のクレセント錠（図示せず）により異なるので、ネジ挿通孔（図示せず）の間隔は必ずしも一定ではない為、取り付けるネジ挿通孔（図示せず）に合うように調整できるように取り付け用ネジ穴をケーシング３１の係合体３の上下２箇所に凹状の開口する縦長穴を有するクレセント錠取り付け用長穴５２を構成することにより、取り付けネジ４９をクレセント本体１の係合体３と係止部５３が係合される位置でクレセント本体１を備え付けのネジ挿通孔に合うように上下に調整して取り付けネジ４９で螺合して簡単に取り付けることができる。すなわち、従来のクレセント錠（図示せず）を取り外して、クレセント本体１に簡単に付け替えることが可能である。【００４１】また、クレセント本体１は、上記付け替えに限らず、新しいサッシの召し合わせ框に取り付けることも可能である。この場合、内障子の召し合わせ框５０にネジ穴を新たに開口することで、取り付けネジ４９にてクレセント本体１を取り付けることが可能になる。また、取り付けネジ穴はクレセント錠取り付け用長穴５２の長穴する必要はなく、取り付けネジ４９が捩じ込める同等の直径を有する開口であれば良い。さらに、外障子の召し合わせ框５１には、クレセント本体１の係合体３と係合する位置に係止部５３を取り付け固定する必要がある。【００４２】図７に示すように、クレセント本体１の施錠ロック後に引き抜かれたハンドル２は、外部の不正侵入者が屋外側から窓のガラス板の一部を破壊して、破壊された開口から手指を挿入しても届かない場所にハンドル収納ケース５８を設置して、ハンドル２をハンドル収納ケース５８に収納して保管しておくと係合体３を回転させることができ���いため、不正開錠による犯罪を確実に未然に防止する抑止効果は高く、施錠信頼性をより向上させることができる。また、図７においては、ハンドル２の収納方法の説明として判りやすく内障子の召し合わせ框５０の室内側にハンドル収納ケース５８を設けているが、設置場所はこの方法でなくても良い。このように、ハンドル２をハンドル収納ケース５８に収納して保管しておくとハンドル２の紛失も防止できる。【００４３】ところで、防犯クレセント錠の具体的構成、形状、寸法、材質、クレセント本体１の、具体的構成、形状、寸法、材質、ハンドル２の具体的構成、形状、寸法、材質、係合体３の具体的構成、形状、寸法、材質、回転軸４の具体的構成、形状、寸法、材質、角穴嵌合部１０の具体的構成、形状、寸法、材質、角軸状嵌合部１１の具体的構成、形状、寸法、材質、回転規制機構Ａの具体的構成、形状、寸法、材質、軸体１５の具体的構成、形状、寸法、材質、係止板取り付け用台座３９の具体的構成、形状、寸法、材質、係止板２２の具体的構成、形状、寸法、材質、ケーシング３１の具体的構成、形状、寸法、材質、等は、図示例のもの等に限定されることなく、適宣自由に設定、変更できるものである。【００４４】本願発明の防犯クレセント錠は、上記の如く構成されており、ハンドル２が着脱自在にできるように、回転軸４とハンドル２に嵌合部を設け、ハンドル２を回転操作することにより、施解錠ができ、ハンドル２がクレセント本体１から引き抜かれた状態では、回転軸４は係止板２２が引っ張りコイルバネ３４の介在により引っ張られ、回転軸４の係止溝４８に挟まれ嵌合し回転が規制され施錠ロック状態となり、係合体３を回転させることはできない。したがって、外部の不正侵入者が屋外側から窓のガラス板の一部を破壊して、この破壊された開口を通して工具や手指を挿入し、不正に回転操作や押圧するようにしても回転規制機構Ａはケーシング３１内に内蔵されており、外装表面には露出していないので、安易に施錠ロック状態を解除することは不可能となり、施錠ロック状態を解除するには同一のハンドル２を用いてクレセント本体１の嵌合部に装着し嵌合させる以外に施錠ロック状態は解除できない。特に、クレセント本体１にハンドル２がなく、さらに、回転規制機構Ａを設けたことで、不正開錠による犯罪を確実に未然に防止する抑止効果は高く、施錠信頼性をより向上させることができる。
【図面の簡単な説明】
【００４５】
【図１】本願発明による防犯クレセント錠の回転規制機構Ａを示す分解斜視図である。
【図２】防犯クレセント錠の構成を示す分解断面図である。
【図３】防犯クレセント錠のロックを機能させた状態の説明図である。
【図４】防犯クレセント錠のロックを解除させた状態の説明図である。
【図５】防犯クレセント錠のロックを解除させた状態の縦断面図である。
【図６】防犯クレセント錠からハンドルを引き抜き、板バネ２５と引張りコイルバネを除いたロック状態を示す縦断面図である。
【図７】本願発明による防犯クレセント錠を取り付けた状態を示す斜視図である。
【図８】（ａ）防犯クレセント錠からハンドルを引き抜かれた状態を示す斜視図である。（ｂ）防犯クレセント錠へハンドルを嵌合させた状態を示す正面図である。
【図９】（ａ）防犯クレセント錠からハンドルの引き抜きを規制している状態について示す一部縦断面図である。（ｂ）防犯クレセント錠からハンドルの引き抜きの規制を解除している状態について示す一部縦断面図である。
【符号の説明】
【００４６】Ａ回転規制機構
１クレセント本体
２ハンドル
３係合体
４回転軸
５円柱状軸基
６係合体系止ピン
７挿通孔
８挿通突起
９ハンドルレバー
１０角穴嵌合部
１１角軸状嵌合部
１２四角形開口凹部
１３永久磁石
１４鋼体
１５軸体
１６フランジ
１７円柱状突起
１８軸体角軸状凸突起
１９係止板結合用挿通孔
２０係止板凹部突起
２１軸体連結用挿通孔
２２係止板
２３係止板凸部
２４回転軸凹部
２５施錠位置側
２６開錠位置側
２７リング
２８Ｅリング
２９Ｅリング係止溝
３０板バネ
３１ケ−シング
３２板バネ固定台座
３３板バネ固定部
３４引張コイルバネ
３５係止板側フック
３６台座側フック
３７係止板軸体結合用ネジ
３８ナット
３９係止板取り付け用台座
４０係止板取り付け用突起
４１支持ピン
４２支持ピン挿入孔
４３バネ引掛けピン
４４バネ引掛け挿入孔
４５回転軸挿入円形
４６回転軸挿入円形
４７回転規制機構収納空間
４８係止溝
４９取り付けネジ
５０内障子の召し合わせ框
５１外障子の召し合わせ框
５２クレセント錠取り付け用長穴
５３係止部
５４円柱状係止ピン
５５係止孔
５６挿入孔
５７係止ピン
５８ハンドル収納ケース